(57)【要約】【課題】携帯端末の機能を用いて給油装置とサーバの紐付けを行って給油及び精算を行い、給油所システムの装置構成を簡略化する。【解決手段】給油装置（２）に備えられた給油所情報を含む識別コード（２ｃ）をユーザーが携帯端末（４）で読み込むと、携帯端末（４）からユーザー情報及び給油所情報がサーバ（３）に送信され、ユーザー情報及び給油所情報を受信したサーバ（３）が給油許可信号を給油装置（２）に送信し、給油装置（２）が給油許可信号を受信すると動作可能となる給油所システム（１）。サーバ（３）が給油装置（２）から給油情報と給油終了信号を受信すると、給油情報に基づいて精算情報を生成し、サーバ（３）は、ユーザー情報、給油所情報、給油情報及び精算情報を関連付けて記憶することができる。
2020152936.tif 000002
【特許請求の範囲】
【請求項１】
給油装置に備えられた給油所情報を含む識別コードをユーザーが携帯端末で読み込むと、該携帯端末からユーザー情報及び前記給油所情報がサーバに送信され、  該ユーザー情報及び給油所情報を受信した前記サーバが給油許可信号を前記給油装置に送信し、前記給油装置が該給油許可信号を受信すると動作可能となることを特徴とする給油所システム。
【請求項２】
前記サーバが前記給油装置から給油情報と給油終了信号を受信すると、該給油情報に基づいて精算情報を生成し、該サーバは、前記ユーザー情報、前記給油所情報、前記給油情報及び前記精算情報を関連付けて記憶することを特徴とする請求項１に記載のサーバ。
【請求項３】
給油所情報を含む識別コードと、  サーバから給油許可信号を受信する受信手段と、  該受信手段が前記サーバから前記給油許可信号を受信すると動作可能となることを特徴とする給油装置。
【請求項４】
前記給油所情報は、給油所名、給油装置番号及び給油エリアを含むことを特徴とする請求項３に記載の給油装置。
【請求項５】
前記識別コードを表示する表示手段を備え、該表示手段は表示毎に異なる情報を含むことを特徴とする請求項３又は４に記載の給油装置。
【請求項６】
携帯端末から、ユーザー情報及び給油所情報を受信する受信手段と、  該受信手段が前記情報を受信した際に、給油装置に給油許可信号を送信する送信手段とを備えることを特徴とするサーバ。
【請求項７】
前記受信手段が前記給油装置から給油情報と給油終了信号を受信した際に、該給油情報に基づいて精算情報を生成する精算情報生成手段と、  前記ユーザー情報、前記給油所情報、前記給油情報及び前記精算情報を関連付けて記憶する記憶手段とを備えることを特徴とする請求項６に記載のサーバ。
【請求項８】
前記ユーザー情報は、ユーザー名、クレジットカード番号及び油種を含むことを特徴とする請求項６又は７に記載のサーバ。
【請求項９】
前記送信手段は、前記受信手段が前記給油装置からリアルタイムで受信する前記給油情報を前記携帯端末にリアルタイムで転送することを特徴とする請求項６、７又は８に記載のサーバ。
【発明の詳細な説明】
【技術分野】
【０００１】  本発明は、給油所システム、給油装置及びサーバに関し、特に、携帯端末の機能を用いて給油所システムの装置構成を簡略化する技術に関する。
【背景技術】
【０００２】  車両の燃料タンクにガソリン等の燃料油を給油する給油所では、例えば特許文献１に記載のように、車両に燃料油を給油する給油装置と、給油装置からの給油データを受けて事務所内で給油データの管理や精算処理を行うＰＯＳ本体と、このＰＯＳ本体との間で給油エリア内で給油設定や精算処理を行うＰＯＳ外設機等を備える。【０００３】  また、最近では、スマートフォン、タブレット等の携帯端末が普及し、通話機能だけでなく、接客、施設や在庫の管理、点検等、様々な業務に利用されている。また、ガソリン等の燃料油を給油する給油所でも、ＩｏＴ等の新たな技術の活用が求められている。
【先行技術文献】
【特許文献】
【０００４】
【特許文献１】日本特開２０１３−２３５５２４号公報
【発明の概要】
【発明が解決しようとする課題】
【０００５】  本発明は、上記従来の技術に鑑みてなされたものであって、携帯端末の機能を用いて給油装置とサーバの紐付けを行って給油及び精算を行い、給油所システムの装置構成を簡略化することを目的とする。
【課題を解決するための手段】
【０００６】  上記目的を達成するため、本発明は、給油所システムであって、給油装置に備えられた給油所情報を含む識別コードをユーザーが携帯端末で読み込むと、該携帯端末からユーザー情報及び前記給油所情報がサーバに送信され、該ユーザー情報及び給油所情報を受信した前記サーバが給油許可信号を前記給油装置に送信し、前記給油装置が該給油許可信号を受信すると動作可能となることを特徴とする。【０００７】  本発明によれば、携帯端末の機能を用いて給油装置とサーバの紐付けを行い、給油を行うことができるため、サーバが各給油所からの給油データ等を一括して管理することができるようになり、各給油所に設置されていたＰＯＳが不要となる。【０００８】  上記給油所システムにおいて、前記サーバが前記給油装置から給油情報と給油終了信号を受信すると、該給油情報に基づいて精算情報を生成し、該サーバは、前記ユーザー情報、前記給油所情報、前記給油情報及び前記精算情報を関連付けて記憶することができ、サーバに記憶した精算情報等によってクレジット決済等を行うことができる。【０００９】  また、本発明は、給油装置であって、給油所情報を含む識別コードと、サーバから給油許可信号を受信する受信手段と、該受信手段が前記サーバから前記給油許可信号を受信すると動作可能となることを特徴とする。【００１０】  上記給油装置において、前記給油所情報は、給油所名、給油装置番号及び給油エリアを含むことができ、これによって燃料油を給油する給油装置を特定することができる。【００１１】  上記給油装置は、前記識別コードを表示する表示手段を備え、該表示手段は表示毎に異なる情報を含むことができ、識別コードを用いた不正を防止することができる。【００１２】  また、本発明は、サーバであって、携帯端末から、ユーザー情報及び給油所情報を受信する受信手段と、該受信手段が前記情報を受信した際に、給油装置に給油許可信号を送信する送信手段とを備えることを特徴とする。【００１３】  上記サーバは、前記受信手段が前記給油装置から給油情報と給油終了信号を受信した際に、該給油情報に基づいて精算情報を生成する精算情報生成手段と、前記ユーザー情報、前記給油所情報、前記給油情報及び前記精算情報を関連付けて記憶する記憶手段とを備えることができ、精算情報等によってクレジット決済等を行うことができる。【００１４】  上記サーバにおいて、前記ユーザー情報は、ユーザー名、クレジットカード番号及び油種を含むことができ、これによって混油を防止することができる。【００１５】  上記サーバにおいて、前記送信手段は、前記受信手段が前記給油装置からリアルタイムで受信する前記給油情報を前記携帯端末にリアルタイムで転送することができ、顧客自らの携帯端末で給油状況を見ることができる。
【発明の効果】
【００１６】  以上のように、本発明によれば、携帯端末の機能を用いて給油装置とサーバの紐付けを行って給油及び精算を行うことで、給油所システムの装置構成を簡略化することができる。
【図面の簡単な説明】
【００１７】
【図１】本発明に係る給油所システムの第１の実施形態の全体構成を示す概略図である。
【図２】図１に示す給油所システムの動作を示すフローチャートである。
【図３】本発明に係る給油所システムの第２の実施形態の全体構成を示す概略図である。
【図４】図３に示す給油所システムの動作を示すフローチャートである。
【発明を実施するための形態】
【００１８】  次に、本発明を実施するための形態について、図面を参照しながら詳細に説明する。
【００１９】  図１は、本発明に係る給油所システムの第１の実施形態を示し、この給油所システム１は、給油装置２と、サーバ（データサーバ）３と、支払機５とで構成される。
【００２０】  給油装置２は、給油データ等を表示する表示器２ａと、給油設定等を行うためのデータ入出力器２ｂと、本体表面に貼付されるシール等に印字される識別コード２ｃと、サーバ３と情報の送受を行なうための通信手段と、その他、通常の給油装置に設けられる給油系統等を備える。
【００２１】  識別コード２ｃには、給油所データが含まれており、この給油所データとしては、例えば、給油所名、給油装置番号及び給油エリアが挙げられる。
【００２２】  サーバ３は、給油装置２が設置された給油所を含む全国の給油所からの給油データを一括管理し、上述のように、各給油装置２とインターネット等と送受信手段を介して通信可能である。サーバ３は、精算情報生成手段によって各給油装置２から受信した給油データから精算データを生成し、給油に関するデータを顧客毎に記憶手段に蓄積する。
【００２３】  携帯端末４は、顧客が所有するスマートフォンや、タブレット等であって、インターネット等を介してサーバ３と通信する通信手段と、クレジット（料金後払い）決済機能等を備える。尚、後述のように、携帯端末４がサーバ３に出力するユーザー情報としては、例えば、ユーザー名、クレジットカード（以下「カード」という。）番号及び油種を含むようにすることができる。
【００２４】  支払機５は、顧客の現金支払に対応するために設けられ、サーバ３と通信を行うための通信手段と、その他、通常の支払機に設けられる現金計数手段等の構成要素とを備える。
【００２５】  カード会社６は、顧客と予め契約しており、サーバ３と通信を行うための通信手段を備える。
【００２６】  次に、上記構成を有する給油所システム１の動作について、図１及び図２を参照しながら説明する。尚、図２のルートが分岐するステップにおいては、特別な記載がない限り、下方向がＹｅｓ、横方向がＮｏに対応する。
【００２７】  携帯端末４のステップＳ１において、顧客は携帯端末４を介して給油装置２の識別コード２ｃを読み取る。識別コード２ｃを読み取ると（ステップＳ１；Ｙｅｓ）、携帯端末４の画面に支払方法選択案内が表示される。ステップＳ２において、顧客が支払方法として現金支払及びクレジットカード支払のいずれかを選択をすると（ステップＳ２；Ｙｅｓ）、ユーザー情報、支払方法に関する情報（カード支払の場合にはカード番号を含む）及び識別コード２ｃから読み取った給油所情報をサーバ３に出力する（ステップＳ３）。
【００２８】  サーバ３のステップＳ１１において、携帯端末４からユーザー情報、支払方法に関する情報及び給油所情報が入力されると（ステップＳ１１；Ｙｅｓ）、ステップＳ１２において、顧客がカード支払を選択したか否かを確認し、顧客がカード支払を選択した場合には（ステップＳ１２；Ｙｅｓ）、カード会社６にカード番号を含む与信確認信号を出力する（ステップＳ１３）。一方、ステップＳ１２において、顧客が現金支払を選択した場合には（ステップＳ１２；Ｎｏ）、後述するステップＳ１５へ進む。
【００２９】  カード会社６のステップＳ３１において、サーバ３から与信確認信号が入力されると（ステップＳ３１；Ｙｅｓ）、ステップＳ３２において、カード番号から顧客の与信を確認し、与信が確認できれば（ステップＳ３２；Ｙｅｓ）、与信ＯＫ信号をサーバ３に出力する（ステップＳ３３）。一方、指定された顧客の与信を確認することができない場合には（ステップＳ３２；Ｎｏ）、与信ＮＯ信号をサーバ３に出力してカード会社６の動作を終了する（ステップＳ３４）。
【００３０】  サーバ３のステップＳ１４において、カード会社６から与信ＯＫ信号が入力されると（ステップＳ１４；Ｙｅｓ）、給油装置２に給油許可信号を送信する（ステップＳ１５）。
【００３１】  一方、ステップＳ１４において、与信ＯＫ信号が入力されず（ステップＳ１４；Ｎｏ）、ステップＳ１６において、カード会社６から与信ＮＯ信号が入力されると（ステップＳ１６；Ｙｅｓ）、携帯端末４に与信ＮＯ信号を出力してサーバ３の動作を終了する（ステップＳ１７）。携帯端末４のステップＳ４において、サーバ３から与信ＮＯ信号が入力されると（ステップＳ４；Ｙｅｓ）、カード支払不可を報知して携帯端末４の動作を終了する（ステップＳ５）。この場合には、顧客は給油を行うことができない。
【００３２】  給油装置２のステップＳ４１において、サーバ３から給油許可信号が入力されると（ステップＳ４１；Ｙｅｓ）、顧客がデータ入出力器２ｂを操作して給油設定を行い（ステップＳ４２）、顧客がノズル掛けから給油ノズルを取り外すことでノズルＳＷ（スイッチ）がＯＮになる（ステップＳ４３；Ｙｅｓ）。
【００３３】  ここで、顧客が給油設定で選択した油種に対応する給油ノズルを取り外していれば（ステップＳ４４；Ｙｅｓ）、給油装置２の表示器２ａにリセット信号が送信され、前回なされた給油に関する情報の帰零（リセット）がなされると共に、給油ポンプが駆動される（ステップＳ４５）。
【００３４】  一方、ステップＳ４４において、顧客が誤った給油ノズル２６を取り外していた場合には（ステップＳ４４；Ｎｏ）、表示器２ａ等を介して顧客に給油ノズルを確認するよう報知する（ステップＳ４６）。
【００３５】  ステップＳ４７において、給油ポンプが駆動されて流量計もＯＮになり、さらに流量パルス発信器がＯＮになり、流量パルス発信器からパルス信号が表示器２ａに送信されると（ステップＳ４７；Ｙｅｓ）、表示器２ａに給油データを表示すると共に、サーバ３に給油データを出力する（ステップＳ４８）。
【００３６】  サーバ３のステップＳ１８において、給油装置２から給油データが入力されると（ステップＳ１８；Ｙｅｓ）、携帯端末４に給油データを含む給油中信号を出力する（ステップＳ１９）。これにより、携帯端末４のステップＳ４において、与信ＮＯ信号が入力されないことになり（ステップＳ４；Ｙｅｓ）、ステップＳ６において、サーバ３から給油中信号が入力されると（ステップＳ６；Ｙｅｓ）、携帯端末４の表示画面に「給油中」という文字や、給油中であることを表す例えば波の動画が表示される（ステップＳ７）。これにより、顧客は給油装置２を直接確認しなくても、給油装置２による給油の進捗状況を把握することができる。
【００３７】  給油装置２において、顧客が給油ノズルをノズル掛けに戻すことでノズルＳＷがＯＦＦになると（ステップＳ４９；Ｙｅｓ）、給油ポンプの駆動を停止し（ステップＳ５０）、サーバ３に給油データを含む給油終了信号を出力して給油装置２の動作を終了する（ステップＳ５１）。
【００３８】  サーバ３のステップＳ２０において、給油装置２から給油終了信号が入力されると（ステップＳ２０；Ｙｅｓ）、給油データに基づいて精算データを生成し、顧客がカード支払を選択した場合には（ステップＳ２１；Ｙｅｓ）、カード会社６に精算データを出力する（ステップＳ２２）。カード会社６のステップＳ３５において、サーバ３から精算データが入力されると（ステップＳ３５；Ｙｅｓ）、決済を行い（ステップＳ３６）、決済完了信号をサーバ３に出力してカード会社６の動作を終了する（ステップＳ３７）。カード会社６から決済完了信号が入力されたサーバ３は（ステップＳ２３；Ｙｅｓ）、携帯端末４に決済完了信号を転送して動作を終了する（ステップＳ２４）。サーバ３から決済完了信号が入力された携帯端末４は（ステップＳ８；Ｙｅｓ）、給油明細を画面に表示して動作を終了する（ステップＳ９）。
【００３９】  一方、サーバ３のステップＳ２１において、顧客が現金支払を選択した場合には（ステップＳ２１；Ｎｏ）、支払機５に精算データを出力してサーバ３の動作を終了する（ステップＳ２５）。支払機５のステップＳ６１において、サーバ３から精算データが入力されると（ステップＳ６１；Ｙｅｓ）、顧客が支払機５に現金を投入することで決済が行われ（ステップＳ６２）、給油明細を出力（領収書を発行）して支払機５の動作を終了する（ステップＳ６３）。このように、顧客は携帯端末４でカード支払か現金支払を選択することができるため、利便性がよい。
【００４０】  図２のフローチャートには明記されないが、サーバ３は、支払方法（カード番号を含む）を含むユーザー情報、給油所データ、給油データ及び精算データを有し、これらを関連付けて記憶するため、給油所毎にＰＯＳ端末を設置する必要がなく、給油所の設備コストや運転コストを低減することができる。
【００４１】  次に、本発明に係る給油所システムの第２の実施形態について図１〜図４を参照しながら説明する。この給油所システム１１は、上記給油所システム１の給油装置２とは異なる構成の給油装置１２を備える。尚、給油所システム１１において、上記給油所システム１と同一の構成要素については、同一の参照番号を付して説明を省略する。
【００４２】  給油装置１２は、給油データ等を表示する表示器１２ａ及び給油設定等を行うためのデータ入出力器１２ｂに加え、人体センサ１２ｄを備え、人体センサ１２ｄが顧客を検知した際にデータ入出力器１２ｂに識別コード１２ｃが表示される。
【００４３】  データ入出力器１２ｂに表示される識別コード１２ｃは、給油所情報の他に、例えば表示回数を含み、人体センサ１２ｄの検知結果により表示される度に情報が異なる。
【００４４】  次に、上記構成を有する給油所システム１１の動作について、図１〜図４を参照しながら説明する。尚、図４のルートが分岐するステップにおいても、特別な記載がない限り、下方向がＹｅｓ、横方向がＮｏに対応する。
【００４５】  図４に示すように、給油装置１２のステップＳ７１において、人体センサ１２ｄ（図３参照）が顧客を検知すると（ステップＳ７１；Ｙｅｓ）、表示器１２ａに識別コード１２ｃが表示される（ステップＳ７２）。表示された識別コード１２ｃを携帯端末４で読み取ることで（ステップＳ１）、図２と同様に、給油装置１２による給油や、サーバ３による情報管理等が行われる。
【００４６】  本実施の形態によれば、例えば給油装置に印字された識別コードの上に別の識別コードが貼付され、顧客が全く関係のない識別コードを読み取ってしまうなどの不正を防止することができる。
【００４７】  尚、上記実施形態においては、給油所システム１、１１に支払機５が設けられ、サーバ３と通信するカード会社６が付設された場合について説明したが、現金払い専用の給油所においては、カード会社６は不要となり、カード払い専用の給油所においては支払機５が不要となる。
【符号の説明】
【００４８】１  給油所システム２  給油装置２ａ  表示器２ｂ  データ入出力器２ｃ  識別コード３  サーバ４  携帯端末５  支払機６  カード会社１１  給油所システム１２  給油装置１２ａ  表示器１２ｂ  データ入出力器１２ｃ  識別コード１２ｄ  人体センサ２６  給油ノズル
【図１】
2020152936.tif 000003
【図２】
2020152936.tif 000004
【図３】
2020152936.tif 000005
【図４】
2020152936.tif 000006
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
給油装置に備えられた給油所情報を含む識別コードをユーザーが携帯端末で読み込むと、該携帯端末からユーザー情報及び前記給油所情報がサーバに送信され、
該ユーザー情報及び給油所情報を受信した前記サーバが給油許可信号を前記給油装置に送信し、前記給油装置が該給油許可信号を受信すると動作可能となり、ＰＯＳが不要となることを特徴とする給油所システム。
【請求項２】
前記サーバが前記給油装置から給油情報と給油終了信号を受信すると、該給油情報に基づいて精算情報を生成し、該サーバは、前記ユーザー情報、前記給油所情報、前記給油情報及び前記精算情報を関連付けて記憶することを特徴とする請求項１に記載の給油所システム。
【請求項３】
（削除）
【請求項４】
前記給油所情報は、給油所名、給油装置番号及び給油エリアを含むことを特徴とする請求項１又は２に記載の給油所システム。
【請求項５】
前記給油装置は、前記識別コードを表示する表示手段を備え、該表示手段は表示毎に異なる情報を含むことを特徴とする請求項１，２又は４に記載の給油所システム。
【請求項６】
（削除）
【請求項７】
（削除）
【請求項８】
前記ユーザー情報は、ユーザー名、クレジットカード番号及び油種を含むことを特徴とする請求項１、２、４又５に記載の給油所システム。
【請求項９】
（削除）
【国際調査報告】
2020152936.tif 000007
2020152936.tif 000008